(57)【要約】【課題】この発明は、画像データとは別個に存在する多量の補正データを、伝送ライン数を増加することなく短時間で転送可能とした表示装置及び表示方法、画像処理装置及び画像処理方法を提供することを目的としている。【解決手段】フラットパネルディスプレイ１４に画像表示させる画像信号と、フラットパネルディスプレイ１４の各表示画素に対する補正データとを、切替部２０により選択的に切り替えてドライバ２１に供給する。ドライバ２１は、画像信号に基づいてフラットパネルディスプレイ１４に画像表示を行なわせ、補正データに基づいてフラットパネルディスプレイ１４の各表示画素を補正する。【選択図】    図１
2004233844.tif 000002
【特許請求の範囲】
【請求項１】
複数の表示画素を有する画像表示手段と、
この画像表示手段に画像表示させるための画像信号と、前記画像表示手段の各表示画素に対する補正データとを選択的に切り替えて出力する切替手段と、
この切替手段から出力される画像信号に基づいて前記画像表示手段に画像表示を行なわせるとともに、前記切替手段から出力される補正データに基づいて前記画像表示手段の各表示画素を補正する制御手段とを具備してなることを特徴とする表示装置。
【請求項２】
前記切替手段は、前記画像信号の有効期間に画像信号を選択し、前記画像信号の非有効期間に前記補正データを選択することを特徴とする請求項１記載の表示装置。
【請求項３】
前記切替手段は、前記画像表示手段の各表示画素に対する補正が要求された状態で、前記画像信号の有効期間に画像信号を選択し、前記画像信号の非有効期間に前記補正データを選択することを特徴とする請求項１記載の表示装置。
【請求項４】
複数の表示画素を有する画像表示手段に画像表示を行なわせるための画像信号と、前記画像表示手段の各表示画素に対する補正データとを選択的に切り替える工程と、
選択された画像信号に基づいて前記画像表示手段に画像表示を行なわせる工程と、
選択された補正データに基づいて前記画像表示手段の各表示画素を補正する工程とを有することを特徴とする表示方法。
【請求項５】
前記画像信号と補正データとを切り替える工程は、前記画像信号の有効期間に画像信号を選択し、前記画像信号の非有効期間に前記補正データを選択することを特徴とする請求項４記載の表示方法。
【請求項６】
前記画像信号と補正データとを切り替える工程は、前記画像表示手段の各表示画素に対する補正が要求された状態で、前記画像信号の有効期間に画像信号を選択し、前記画像信号の非有効期間に前記補正データを選択することを特徴とする請求項４記載の表示方法。
【請求項７】
複数の表示画素を有する画像表示手段と、
この画像表示手段に画像表示させるための画像信号と、前記画像表示手段の各表示画素に対する補正データとが同一ラインを介して選択的に入力され、前記画像信号に基づいて前記画像表示手段に画像表示を行なわせるとともに、前記補正データに基づいて前記画像表示手段の各表示画素を補正する制御手段とを具備してなることを特徴とする表示装置。
【請求項８】
前記制御手段は、前記補正データを格納する記憶手段を具備してなることを特徴とする請求項７記載の表示装置。
【請求項９】
複数の表示画素を有する画像表示手段に画像表示を行なわせるための画像信号と、前記画像表示手段の各表示画素に対する補正データとを同一ラインを介して選択的に入力する工程と、
入力された画像信号に基づいて前記画像表示手段に画像表示を行なわせる工程と、
入力された補正データに基づいて前記画像表示手段の各表示画素を補正する工程とを有することを特徴とする表示方法。
【請求項１０】
前記入力された補正データに基づいて前記画像表示手段の各表示画素を補正する工程は、入力された補正データを記憶手段に記憶する工程を有することを特徴とする請求項９記載の表示方法。
【請求項１１】
画像信号を出力する画像出力手段と、
補正データを出力する補正出力手段と、
前記画像出力手段から出力される画像信号と前記補正出力手段から出力される補正データとを、同一ラインを介して選択的に切り替えて出力する出力手段とを具備してなることを特徴とする画像処理装置。
【請求項１２】
前記出力手段は、前記画像信号の有効期間に画像信号を選択し、前記画像信号の非有効期間に前記補正データを選択することを特徴とする請求項１１記載の画像処理装置。
【請求項１３】
前記出力手段は、補正が要求された状態で、前記画像信号の有効期間に画像信号を選択し、前記画像信号の非有効期間に前記補正データを選択することを特徴とする請求項１１記載の画像処理装置。
【請求項１４】
画像信号を出力する工程と、
補正データを出力する工程と、
前記画像信号の有効期間に画像信号、前記画像信号の非有効期間に前記補正データを、同一ラインを介して選択的に切り替えて出力する工程とを有することを特徴とする画像処理方法。
【発明の詳細な説明】
【０００１】
【発明の属する技術分野】
この発明は、画像信号を表示する表示装置及び表示方法に係り、特に大画面のフラットパネルディスプレイに使用して好適するものに関する。また、この発明は、上記した表示装置及び表示方法に画像信号を与える画像処理装置及び画像処理方法に関する。
【０００２】
【従来の技術】
周知のように、近年では、薄型で大画面表示が可能であることから、ＣＲＴ（Ｃａｔｈｏｄｅ  Ｒａｙ  Ｔｕｂｅ）に代えてフラットパネルディスプレイの開発が盛んに行なわれている。
【０００３】
このフラットパネルディスプレイとして、現状では、例えば、液晶ディスプレイ、プラズマディスプレイ、ＥＬ（Ｅｌｅｃｔｒｏ  Ｌｕｍｉｎｅｓｃｅｎｃｅ）ディスプレイ、ＦＥＤ（Ｆｉｅｌｄ  Ｅｍｉｓｓｉｏｎ  Ｄｉｓｐｌａｙ）等が開発されている。
【０００４】
ところで、このようなフラットパネルディスプレイにおいては、その表示画素毎の性能のばらつきを補正するために、全ての表示画素に対してそれぞれ補正データを用意する必要がある。
【０００５】
この補正データは、通常、制御用のマイクロコンピュータから各表示画素を駆動するためのドライバにシリアルで転送され、ドライバ内の補正テーブルに格納されることにより、各表示画素の補正に供される。
【０００６】
この場合、マイクロコンピュータからドライバに補正データをシリアルで転送しているのは、ドライバに接続される伝送ライン数を減らして、ＩＣ（Ｉｎｔｅｇｒａｔｅｄ  Ｃｉｒｃｕｉｔ）化した際にピン数の占有を極力削減するためである。
【０００７】
ところが、フラットパネルディスプレイを構成する全ての表示画素は、それぞれが、Ｒ（Ｒｅｄ）、Ｇ（Ｇｒｅｅｎ）、Ｂ（Ｂｌｕｅ）成分の表示を行なう３つの画素から構成されている。そして、補正データは、全ての画素に対して用意される必要があることから、全表示画素数の３倍のデータ量となる。
【０００８】
このため、現状のフラットパネルディスプレイでは、このような膨大な量の補正データをドライバにシリアルで転送していることから、転送に要する時間が長くなるという問題が生じている。
【０００９】
ここで、特許文献１には、映像データの階調に対する輝度特性を検出し、この検出された輝度特性に応じて階調を補正し、この補正された階調を液晶パネルに表示させる構成が開示されている。
【００１０】
また、特許文献２には、複数の画像伝送線の信号を時分割により１本のデータ伝送線の信号とすることで、データ伝送線数を画像伝送線数より少なくして表示装置の配線数を減らす構成が開示されている。
【００１１】
しかしながら、これらの特許文献１，２には、いずれも、画像信号とは別に多量の補正データを、ピン数を増やすことなく短時間で転送可能となすように対処することについては、何らの記載もなされていないものである。
【００１２】
【特許文献１】
特開２００１−３４３９５７号公報
【００１３】
【特許文献２】
特開２００１−２５５８４１号公報
【００１４】
【発明が解決しようとする課題】
そこで、この発明は上記事情を考慮してなされたもので、画像信号とは別個に存在する多量の補正データを、伝送ライン数を増加することなく短時間で転送可能とした表示装置及び表示方法、画像処理装置及び画像処理方法を提供することを目的とする。
【００１５】
【課題を解決するための手段】
この発明に係る表示装置は、複数の表示画素を有する画像表示手段と、この画像表示手段に画像表示させるための画像信号と画像表示手段の各表示画素に対する補正データとを選択的に切り替えて出力する切替手段と、この切替手段から出力される画像信号に基づいて画像表示手段に画像表示を行なわせるとともに切替手段から出力される補正データに基づいて画像表示手段の各表示画素を補正する制御手段とを備えるようにしたものである。
【００１６】
また、この発明に係る表示方法は、複数の表示画素を有する画像表示手段に画像表示を行なわせるための画像信号と画像表示手段の各表示画素に対する補正データとを選択的に切り替える工程と、選択された画像信号に基づいて画像表示手段に画像表示を行なわせる工程と、選択された補正データに基づいて画像表示手段の各表示画素を補正する工程とを有するようにしたものである。
【００１７】
さらに、この発明に係る表示装置は、複数の表示画素を有する画像表示手段と、この画像表示手段に画像表示させるための画像信号と画像表示手段の各表示画素に対する補正データとが同一ラインを介して選択的に入力され、画像信号に基づいて画像表示手段に画像表示を行なわせるとともに補正データに基づいて画像表示手段の各表示画素を補正する制御手段とを備えるようにしたものである。
【００１８】
また、この発明に係る表示方法は、複数の表示画素を有する画像表示手段に画像表示を行なわせるための画像信号と画像表示手段の各表示画素に対する補正データとを同一ラインを介して選択的に入力する工程と、入力された画像信号に基づいて画像表示手段に画像表示を行なわせる工程と、入力された補正データに基づいて画像表示手段の各表示画素を補正する工程とを有するようにしたものである。
【００１９】
さらに、この発明に係る画像処理装置は、画像信号を出力する画像出力手段と、補正データを出力する補正出力手段と、画像出力手段から出力される画像信号と補正出力手段から出力される補正データとを同一ラインを介して選択的に切り替えて出力する出力手段とを備えるようにしたものである。
【００２０】
また、この発明に係る画像処理方法は、画像信号を出力する工程と、補正データを出力する工程と、画像信号の有効期間に画像信号、画像信号の非有効期間に補正データを、同一ラインを介して選択的に切り替えて出力する工程とを有するようにしたものである。
【００２１】
上記のような構成及び方法によれば、補正データを画像信号の伝送ラインを利用して転送するようにしたので、画像信号とは別個に存在する多量の補正データを、伝送ライン数を増加させることなく短時間で転送することが可能となる。
【００２２】
【発明の実施の形態】
以下、この発明の第１の実施の形態について図面を参照して詳細に説明する。図１は、この第１の実施の形態で説明するテレビジョン受信装置１１の外観を示している。
【００２３】
このテレビジョン受信装置１１は、略箱状に形成された筐体１２の前面部１３に、複数の表示画素をマトリクス状に配置したフラットパネルディスプレイ１４と、電源スイッチや各種のキーで構成された操作部１５とを配置している。
【００２４】
また、このテレビジョン受信装置１１は、操作部１５の操作情報を受けるだけでなく、ワイヤレスのリモートコントローラ１６からの操作情報も受けて、その動作を制御している。
【００２５】
図２は、このテレビジョン受信装置１１の信号処理系の詳細を示している。まず、図２において、符号１７は、テレビジョン放送電波を受信するアンテナである。
【００２６】
このアンテナ１７に誘起されたテレビジョン信号は、チューナ部１８に供給される。このチューナ部１８は、入力されたテレビジョン信号から所望の放送チャンネルの画像信号を選局し、パラレルに出力している。
【００２７】
このチューナ部１８からパラレル出力された画像信号は、画像処理部１９に供給されて所定の復調処理が施された後、切替部２０を通過してドライバ２１に供給される。
【００２８】
このドライバ２１は、入力された画像信号に基づいて、フラットパネルディスプレイ１４の各表示画素をそれぞれ制御して、フラットパネルディスプレイ１４に画像表示を行なわせるように制御している。
【００２９】
上記したテレビジョン信号の一連の再生動作は、マイクロコンピュータ２２によって統括的に制御されている。このマイクロコンピュータ２２は、上記操作部１５から得られる操作情報、または、上記リモートコントローラ１６から受信部２３を介して得られる操作情報を受けて、ユーザの要求する動作状態が実現されるように、各部１８〜２１を制御している。
【００３０】
この場合、マイクロコンピュータ２２は、記憶部２４に格納された制御プログラムや各種の設定値等に基づいて、また、記憶部２４をワークエリアとして、各部１８〜２１の制御を行なっている。
【００３１】
ここで、上記マイクロコンピュータ２２は、フラットパネルディスプレイ１４を構成する全ての画素に対する補正データを生成して、切替部２０にパラレルに出力している。この切替部２０は、通常、画像処理部１９からパラレル出力される画像信号を、ドライバ２１に導くように切り替えられている。
【００３２】
一方、この切替部２１は、マイクロコンピュータ２２がフラットパネルディスプレイ１４の各画素に対する補正要求を発生した場合、該補正要求に基づいて画像処理部１９から発生される切替信号により、マイクロコンピュータ２２からパラレル出力される補正データをドライバ２１に導くように切り替えられる。
【００３３】
この場合、切替部２０は、マイクロコンピュータ２２からパラレル出力される補正データが、画像処理部１９からパラレル出力される画像信号の有効期間以外の期間でドライバ２１に転送されるように、切り替え制御されている。
【００３４】
そして、マイクロコンピュータ２２からパラレル出力された補正データは、ドライバ２１に内蔵されたメモリ２１ａに補正テーブルとして格納されることにより、フラットパネルディスプレイ１４の各画素の補正に供される。
【００３５】
上記した実施の形態によれば、画像処理部１９からパラレル出力される画像信号をドライバ２１に伝送するために元々存在するバスラインＢＬを利用して、画像信号の非有効期間にマイクロコンピュータ２２から出力される補正データをパラレルでドライバ２１に入力させている。
【００３６】
このため、ドライバ２１に接続される伝送ライン数を増加させることなく、多量の補正データをパラレルにより短時間でドライバ２１に転送することが可能となる。
【００３７】
図３は、画像信号と切替信号との関係を示している。図３では、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）／ＳＭＰＴＥ  ２９６Ｍ−１９９７に規定されている、有効水平画素数１２８０×有効垂直ライン数７２０の画像信号を例にとり、その１ライン分を示している。
【００３８】
すなわち、この１ラインの画像信号は、水平画素同期クロックの１周期を１Ｔとすると、４ＴのＥＡＶ期間、３６２Ｔの水平ブランキング期間及び４ＴのＳＡＶ期間とでなる３７０Ｔの非有効期間と、実質的な画像成分でなる１２８０Ｔの有効期間とから構成されている。
【００３９】
このため、上記画像処理部１９は、復調して得られた１ラインの画像信号の有効期間に、切替部２０に対して、画像処理部１９からパラレル出力される画像信号をドライバ２１に導くように切り替えるためのＨ（Ｈｉｇｈ）レベルの切替信号を発生する。
【００４０】
また、上記画像処理部１９は、復調して得られた１ラインの画像信号の非有効期間に、切替部２０に対して、マイクロコンピュータ２２からパラレル出力される補正データをドライバ２１に導くように切り替えるためのＬ（Ｌｏｗ）レベルの切替信号を発生する。
【００４１】
図４は、図３に示した切替信号を生成するために、画像処理部１９の内部に設置された切替信号生成部の詳細を示している。この切替信号生成部は、カウンタ１９ａとデコーダ１９ｂとから構成されている。
【００４２】
このうち、カウンタ１９ａは、マイクロコンピュータ２２から出力される補正要求信号に基づいて駆動されるもので、駆動後は、水平画素同期クロックをカウントし、水平同期信号によって水平周期でリセットされるという動作を繰り返している。
【００４３】
そして、上記デコーダ１９ｂは、カウンタ１９ａのカウント値に基づいて、１ラインの画像信号の非有効期間と有効期間とを判別することにより切替信号を生成し、切替部２０に出力している。
【００４４】
図５は、画像信号と切替信号との関係の他の例を示している。すなわち、上記した有効水平画素数１２８０×有効垂直ライン数７２０の画像信号は、その全垂直ライン数として７５０を有している。
【００４５】
そして、ライン番号１〜２５までの２５ラインと、ライン番号７４６〜７５０までの５ラインとの３０本のラインが、画像成分の含まれない非有効ラインとなっている。
【００４６】
このため、画像成分を含む、ライン番号２６〜７４５までの７２０本の有効ライン期間に、切替部２０に対して、画像処理部１９からパラレル出力される画像信号をドライバ２１に導くように切り替えるためのＨ（Ｈｉｇｈ）レベルの切替信号を発生する。
【００４７】
また、画像成分を含まない、ライン番号１〜２５までとライン番号７４６〜７５０までの非有効ライン期間に、切替部２０に対して、マイクロコンピュータ２２からパラレル出力される補正データをドライバ２１に導くように切り替えるためのＬ（Ｌｏｗ）レベルの切替信号を発生する。
【００４８】
図６は、画像信号と切替信号との関係のさらに他の例を示している。これは、図３に示した関係と図５に示した関係とを両方組み合わせたものである。すなわち、画像成分を含む、ライン番号２６〜７４５までの７２０本の有効ライン期間においては、１ラインの画像信号の非有効期間と有効期間とで切替信号をＬレベルとＨレベルとに切り替える。また、画像成分を含まない、ライン番号１〜２５までとライン番号７４６〜７５０までの非有効ライン期間においては、切替信号をＬレベルに切り替えている。
【００４９】
図７は、この発明の第２の実施の形態を示している。この第２の実施の形態では、テレビジョン放送を受信して画像信号の選局及び復調を行なう受信装置２５と、この受信装置２５で復調された画像信号を表示する表示装置２６とが別体であり、両者がケーブル２７で接続される構成となっている。
【００５０】
図８は、この受信装置２５及び表示装置２６の詳細を示している。なお、図８において、図２と同一部分には同一符号を付して示している。この場合、受信装置２５が、アンテナ１７、チューナ部１８、画像処理部１９、切替部２０、受信部２３、操作部１５、マイクロコンピュータ２２、記憶部２４及びリモートコントローラ１６を備える構成となる。また、表示装置２６が、ドライバ２１とフラットパネルディスプレイ１４とを備える構成となる。
【００５１】
そして、切替部２０からドライバ２１に画像信号または補正データをパラレルで転送するためのバスライン２７ａと、マイクロコンピュータ２２からドライバ２１に制御情報を転送するための制御ライン２７ｂとが、ケーブル２７としてまとめられている。
【００５２】
このように、受信装置２５及び表示装置２６を別体に構成しても、ドライバ２１に接続される伝送ライン数を増加させることなく、多量の補正データをパラレルにより短時間でドライバ２１に転送することが可能となり、第１の実施の形態と同様な効果を得ることができる。
【００５３】
また、上記した第１及び第２の実施の形態では、いずれも、テレビジョン放送を受信して表示する装置について述べたが、この発明は、これに限らず、例えば記録媒体から画像信号を再生して表示する装置等にも、広く適用することが可能である。
【００５４】
ここで、フラットパネルディスプレイ１４の各画素に対して補正データによる補正処理を施すタイミングは、メーカによる製造時の調整段階、ユーザの要求、新規な補正データがダウンロードされた場合、経年変化による再調整時等が考えられる。
【００５５】
なお、この発明は上記した各実施の形態に限定されるものではなく、この外その要旨を逸脱しない範囲で種々変形して実施することができる。
【００５６】
【発明の効果】
以上詳述したようにこの発明によれば、画像データとは別個に存在する多量の補正データを、伝送ライン数を増加することなく短時間で転送可能とした表示装置及び表示方法、画像処理装置及び画像処理方法を提供することができる。
【図面の簡単な説明】
【図１】この発明の第１の実施の形態を示すもので、テレビジョン受信装置を説明するために示す外観図。
【図２】同第１の実施の形態におけるテレビジョン受信装置の信号処理系の詳細を説明するために示すブロック構成図。
【図３】同第１の実施の形態におけるテレビジョン受信装置の画像信号と切替信号との関係の一例を説明するために示す図。
【図４】同第１の実施の形態におけるテレビジョン受信装置の切替信号生成部の詳細を説明するために示すブロック構成図。
【図５】同第１の実施の形態におけるテレビジョン受信装置の画像信号と切替信号との関係の他の例を説明するために示す図。
【図６】同第１の実施の形態におけるテレビジョン受信装置の画像信号と切替信号との関係のさらに他の例を説明するために示す図。
【図７】この発明の第２の実施の形態を示すもので、受信装置と表示装置とを説明するために示す外観図。
【図８】同第２の実施の形態における受信装置及び表示装置の信号処理系の詳細を説明するために示すブロック構成図。
【符号の説明】
１１…テレビジョン受信装置、１２…筐体、１３…前面部、１４…フラットパネルディスプレイ、１５…操作部、１６…リモートコントローラ、１７…アンテナ、１８…チューナ部、１９…画像処理部、２０…切替部、２１…ドライバ、２２…マイクロコンピュータ、２３…受信部、２４…記憶部、２５…受信装置、２６…表示装置、２７…ケーブル。
【図１】
2004233844.tif 000003
【図２】
2004233844.tif 000004
【図３】
2004233844.tif 000005
【図４】
2004233844.tif 000006
【図５】
2004233844.tif 000007
【図６】
2004233844.tif 000008
【図７】
2004233844.tif 000009
【図８】
2004233844.tif 000010